(57)【要約】【課題】赤、緑、青のうちの２色の混合色の色相を良好にし、色再現性の良いカラー画像を表示することができるフィールドシーケンシャル液晶表示装置を提供する。【解決手段】赤、緑、青の３色の単位色画像データを１フレームＦ毎に異なる順序で液晶表示素子に書込み、その単位色画像データに対応する色の照明光を前記単位色画像データ書込みに同期させて面光源から出射させ、前記液晶表示素子に、赤、緑、青の３色の単位色画像を、前記１フレームＦ毎に異なる順序で表示させる。【選択図】      図２
2005077473.tif 000002
【特許請求の範囲】
【請求項１】
複数の画素を有し、複数の色からなる１つのカラー画像を表示するための１フレームの間に、赤、緑、青の３色の単位色画像データを前記複数の画素に順次書込まれ、これらの画像データに応じた画像を表示する液晶表示素子と、
前記液晶表示素子の観察側とは反対側に配置され、赤、緑、青の３色の照明光を前記液晶表示素子に向けて選択的に出射する面光源と、
前記赤、緑、青の３色の単位色画像データを前記１フレーム毎に異なる順序で前記液晶表示素子の複数の画素に書込み、その単位色画像データに対応する色の照明光を前記単位色画像データ書込みに同期させて前記面光源から出射させ、前記液晶表示素子に、赤、緑、青の３色の単位色画像を、前記１フレーム毎に異なる順序で表示させる表示制御手段とを備えたことを特徴とするフィールドシーケンシャル液晶表示装置。
【請求項２】
液晶表示素子に、赤、緑、青の３色の単位色画像を、連続する２つのフレームの一方と他方とで交互に異なる順序で表示させることを特徴とする請求項１に記載のフィールドシーケンシャル液晶表示装置。
【請求項３】
液晶表示素子に、赤、緑、青の３色の単位色画像を、連続する２つのフレームの一方に緑色画像、赤色画像、青色画像の順序で表示させ、他方のフレームに緑色画像、青色画像、赤色画像の順序で表示させることを特徴とする請求項２に記載のフィールドシーケンシャル液晶表示装置。
【発明の詳細な説明】
【技術分野】
【０００１】
この発明は、フィールドシーケンシャル液晶表示装置に関する。
【背景技術】
【０００２】
フィールドシーケンシャル液晶表示装置は、カラーフィルタを備えない液晶表示素子を用いてカラー画像を表示するものであり、複数の色からなる１つのカラー画像を表示するための１フレームの間に、赤、緑、青の３色の単位色画像データを順次前記液晶表示素子の複数の画素に書込み、その単位色画像データに対応する色の照明光を前記単位色画像データの書込みに同期させて面光源から出射させることにより、前記液晶表示素子に赤、緑、青の３色の単位色画像を順次表示させ、その各色の視覚的な混合によりフルカラー画像を表示する。
【０００３】
このフィールドシーケンシャル液晶表示装置は、従来、１フレーム毎に、赤、緑、青の３色の単位色画像データを、赤色画像データ、緑色画像データ、青色画像データの順序で液晶表示素子の複数の画素に書込み、前記面光源から赤、緑、青の３色の照明光を、赤色光、緑色光、青色光を順で出射させることにより、前記液晶表示素子に赤、緑、青の３色の単位色画像を、１フレーム毎に赤色画像、緑色画像、青色画像の順序で表示させるように構成されている（特許文献１参照）。
【特許文献１】特開２００２−２２１７００号公報
【発明の開示】
【発明が解決しようとする課題】
【０００４】
しかし、赤、緑、青の３色の単位色画像を１フレーム毎に赤色画像、緑色画像、青色画像の順序で表示する従来のフィールドシーケンシャル液晶表示装置は、液晶表示素子に赤、緑、青のうちの２色の単位色画像を複数のフレームにわたって表示させたときに、常に一方の色の光よりも他方の色の光が高い透過率で前記液晶表示素子を透過するため、前記２色の混合色の色相が透過率の高い色側にシフトし、色再現性の良いカラー画像を表示することができない。
【０００５】
この発明は、赤、緑、青のうちの２色の混合色の色相を良好にし、色再現性の良いカラー画像を表示することができるフィールドシーケンシャル液晶表示装置を提供することを目的としたものである。
【課題を解決するための手段】
【０００６】
この発明は、複数の画素を有し、複数の色からなる１つのカラー画像を表示するための１フレームの間に、赤、緑、青の３色の単位色画像データを前記複数の画素に順次書込まれ、これらの画像データに応じた画像を表示する液晶表示素子と、前記液晶表示素子の観察側とは反対側に配置され、赤、緑、青の３色の照明光を前記液晶表示素子に向けて選択的に出射する面光源と、前記赤、緑、青の３色の単位色画像データを前記１フレーム毎に異なる順序で前記液晶表示素子の複数の画素に書込み、その単位色画像データに対応する色の照明光を前記単位色画像データ書込みに同期させて前記面光源から出射させ、前記液晶表示素子に、赤、緑、青の３色の単位色画像を、前記１フレーム毎に異なる順序で表示させる表示制御手段とを備えたことを特徴とする。
【０００７】
この発明においては、前記液晶表示素子に、前記赤、緑、青の３色の単位色画像を連続する２つのフレームの一方と他方とで交互に異なる順序で表示させるのが好ましい。
【０００８】
さらに、この発明においては、前記液晶表示素子に、前記赤、緑、青の３色の単位色画像を、連続する２つのフレームの一方に緑色画像、赤色画像、青色画像の順序で表示させ、他方のフレームに緑色画像、青色画像、赤色画像の順序で表示させるのがより好ましい。
【発明の効果】
【０００９】
この発明のフィールドシーケンシャル液晶表示装置は、赤、緑、青の３色の単位色画像を、前記１フレーム毎に異なる順序で表示するため、液晶表示素子に赤、緑、青のうちの２色の単位色画像を複数のフレームにわたって表示させたときの前記２色の光の平均透過率が実質的に等しくなる。
【００１０】
したがって、このフィールドシーケンシャル液晶表示装置によれば、赤、緑、青のうちの２色の混合色の色相を良好にし、色再現性の良いカラー画像を表示することができる。
【００１１】
このように、この発明は、１フレームの間に、赤、緑、青の３色の単位色画像データを複数の画素に順次書込まれ、これらの画像データに応じた画像を表示する液晶表示素子と、前記液晶表示素子の観察側とは反対側に配置され、赤、緑、青の３色の照明光を前記液晶表示素子に向けて選択的に出射する面光源と、前記赤、緑、青の３色の単位色画像データを前記１フレーム毎に異なる順序で前記液晶表示素子の複数の画素に書込み、その単位色画像データに対応する色の照明光を前記単位色画像データ書込みに同期させて前記面光源から出射させ、前記液晶表示素子に、赤、緑、青の３色の単位色画像を、前記１フレーム毎に異なる順序で表示させる表示制御手段とを備えることにより、赤、緑、青のうちの２色の混合色の色相を良好にし、色再現性の良いカラー画像を表示することができるようにしたものである。
【００１２】
この発明においては、前記液晶表示素子に、前記赤、緑、青の３色の単位色画像を連続する２つのフレームの一方と他方とで交互に異なる順序で表示させるのが好ましく、このようにすることにより、前記表示制御手段の設計を容易にすることができる。
【００１３】
さらに、この発明においては、前記液晶表示素子に、前記赤、緑、青の３色の単位色画像を、連続する２つのフレームの一方に緑色画像、赤色画像、青色画像の順序で表示させ、他方のフレームに緑色画像、青色画像、赤色画像の順序で表示させるのがより好ましく、このようにすることにより、暗表示から明表示への切換わり及び表示色の切換わりがシャープな、鮮明なカラー画像を表示することができる。
【発明を実施するための最良の形態】
【００１４】
（実施形態１）
図１〜図６はこの発明の第１の実施例を示しており、図１はフィールドシーケンシャル液晶表示装置の分解斜視図、図２は液晶表示素子への赤、緑、青の単位色画像データの書込み順と面光源からの赤、緑、青の照明光の出射順を示す図である。
【００１５】
このフィールドシーケンシャル液晶表示装置は、図１のように、複数の画素を有し、複数の色からなる１つのカラー画像を表示するための１フレームの間に、赤、緑、青の３色の単位色画像データを前記複数の画素に順次書込まれ、これらの画像データに応じた画像を表示する液晶表示素子１と、前記液晶表示素子１の観察側とは反対側に配置された面光源６と、前記液晶表示素子１に前記赤、緑、青の３色の単位色画像データを書込み、その単位色画像データに対応する色の照明光を前記面光源６から出射させる表示制御手段１２とを備えている。
【００１６】
前記液晶表示素子１は、例えばＴＦＴ（薄膜トランジスタ）をアクティブ素子とするアクティブマトリックス液晶表示素子であり、その内部構造は図示しないが、枠状のシール材を介して接合された一対の透明基板２，３のうち、一方の基板、例えば入射側基板２の観察側基板３と対向する面に、行方向及び列方向にマトリックス状に配列する複数の透明な画素電極と、これらの画素電極にそれぞれ接続された複数のＴＦＴと、各行のＴＦＴにそれぞれゲート信号を供給する複数のゲート配線と、各列のＴＦＴにそれぞれゲート信号を供給する複数のゲート配線とが設けられ、他方の観察側基板３の前記入射側基板２と対向する面に、前記複数の画素電極とそれぞれ対向する領域によりマトリックス状に配列する複数の画素を形成する１枚膜状の透明な対向電極が設けられ、これらの基板２，３間の前記シール材で囲まれた領域に液晶層が設けられた構成となっている。
【００１７】
なお、前記入射側基板２は、その行方向の一端縁と列方向の一端縁とに、観察側基板３の外方に張出すドライバ搭載部２ａ，２ｂを有しており、前記複数のゲート配線は、行方向のドライバ搭載部２ａに搭載されたゲート側ドライバ４に接続され、前記複数のデータ配線は、列方向のドライバ搭載部２ｂに搭載されたデータ側ドライバ５に接続され、前記対向電極は、前記シール材による基板接合部に設けられたクロス接続部と前記ドライバ搭載部２ａ，２ｂの一方または両方に形成された対向電極接続配線を介して前記ゲート側ドライバ４とデータ側ドライバ５の一方または両方の基準電位に接続されている。
【００１８】
また、この液晶表示素子１は、例えば、前記液晶層の液晶分子を一対の基板２，３間において実質的に９０°の捩れ角でツイスト配向させたＴＮ（ツイステッドネマティック）型、あるいは、前記液晶分子を一方の方向に分子長軸を揃えてホモジニアス配向させた非ツイストのホモジニアス配向型のものであり、図では省略しているが、前記一対の基板２，３の外面に、入射側偏光板と表示側偏光板とが、それぞれの透過軸を予め定めた方向に向けて配置されている。
【００１９】
前記面光源６は、前記液晶表示素子１の複数の画素がマトリックス状に配列している表示エリアＡの全域に対向する面積をもったアクリル系樹脂板等の板状透明部材からなり、この透明部材の一端面に形成され、光が入射される入射端面８と、前記入射端面８から入射し、前記透明部材内を導かれた光を出射する出射面９と、前記入射端面８から透明部材内に入射した光を前記出射面９に向けて反射する反射面１０とを有する導光板７と、前記導光板７の入射端面８に対向させて配置され、前記入射端面８に向けて赤、緑、青の３色の光を選択的に出射する発光素子１１とを備えている。
【００２０】
なお、図１では省略しているが、前記導光板７の反射面１０には、その全域にわたって、前記入射端面８と平行な方向に沿う１０〜３０μｍ程度の幅の複数の溝部が５０〜１００μｍ程度のピッチで形成されており、前記入射端面８から入射した光は、前記出射面９と外気（空気層）との界面及び前記反射面１０の複数の溝部間の平坦面と外気との界面で全反射しながら導光板７内をその長さ方向に導かれ、前記反射面１０の複数の溝部と外気との界面で前記出射面９の法線に対する角度が小さくなる方向に全反射し、前記出射面９の全域から均一な輝度分布で液晶表示素子１に向かって出射する。
【００２１】
また、前記発光素子１１は、その内部構造は図示しないが、赤色光を発する赤色ＬＥＤ（発光ダイオード）と、緑色光を発する緑色ＬＥＤと、青色光を発する青色ＬＥＤとを備えた固体発光素子であり、前記赤、緑、青の３色のＬＥＤを選択的に駆動され、前記導光板７の入射端面８に向けて赤、緑、青の３色の光を選択的に出射する。
【００２２】
すなわち、前記面光源６は、前記発光素子１１から赤、緑、青の３色の照明光を選択的に出射させ、その光を前記導光板７により導いてその出射面９から前記液晶表示素子１に向けて出射する。
【００２３】
この面光源６からの赤、緑、青の３色の照明光の輝度比は、前記発光素子１１の赤、緑、青の３色のＬＥＤの駆動電流を調整することにより、前記３色の照明光の視覚的な混合色が白色になるように、緑＞赤＞青に設定されている。
【００２４】
この面光源６からの赤、緑、青の３色の照明光の輝度比は、好ましくは、赤色光の輝度のピーク波長を６４０ｎｍ、緑色光の輝度のピーク波長を５１０ｎｍ、青色光の輝度のピーク波長を４６０ｎｍとしたとき、赤：緑：青＝４：８：１であり、前記赤、緑、青の３色の照明光の輝度比をこのように設定することにより、前記３色の照明光の視覚的な混合色を、より無彩色の白色にすることができる。
【００２５】
なお、この実施例では、前記面光源６の発光素子を、赤、緑、青の３色のＬＥＤを備えた固体発光素子１１としているが、前記導光板７の入射端面８に対向させて配置する発光素子は、赤、緑、青の各色の光をそれぞれ発する３本の冷陰極管でもよい。
【００２６】
また、前記表示制御手段１２は、その具体的な構成は図示しないが、前記液晶表示素子１のゲート側ドライバ４及びデータ側ドライバ５を制御する書込み制御回路と、前記面光源６の発光素子１１からの赤、緑、青の３色の光の出射を制御する照明制御回路とからなっている。
【００２７】
そして、この表示制御手段１２は、図示しない外部回路からカラー画像情報を供給され、前記１フレームの間に、赤、緑、青の３色の単位色画像データを、１フレーム毎に異なる順序で選択して前記液晶表示素子１の複数の画素に順次書込み、その単位色画像データに対応する色の照明光を前記単位色画像データ書込みに同期させて前記面光源６から出射させ、前記液晶表示素子１に、赤、緑、青の３色の単位色画像を、１フレーム毎に異なる順序で表示させるように構成されている。
【００２８】
前記液晶表示素子１への赤、緑、青の３色の単位色画像データの書込みと、前記面光源６からの赤、緑、青の照明光の出射を説明すると、図２において、Ｒ書込み、Ｇ書込み、Ｂ書込みは、前記液晶表示素子１への赤、緑、青の単位色画像データの書込み期間、ｔは前記液晶表示素子１の液晶分子の応答待ち時間、Ｒ点灯、Ｇ点灯、Ｂ点灯は、前記面光源６から赤、緑、青の照明光を出射させる期間である。
【００２９】
なお、この実施例では、１フレームＦを３０Ｈｚ、１フレームＦ中の３つのフィールドｆ１，ｆ２，ｆ３をそれぞれ９０Ｈｚとし、ちらつきの無い良好なカラー画像を観察させるようにしている。
【００３０】
図２のように、この実施例では、前記表示制御手段１２を、前記赤、緑、青の３色の単位色画像データを、連続する２つのフレーム（奇数番フレームと偶数番フレーム）Ｆの一方と他方とで交互に異なる順序で選択して前記液晶表示素子１の複数の画素に順次書込み、その単位色画像データに対応する色の照明光を前記単位色画像データ書込みに同期させて前記面光源６から出射させるように構成し、前記液晶表示素子１に、赤、緑、青の３色の単位色画像を、前記連続する２つのフレームＦの一方と他方とで交互に異なる順序で表示させるようにしている。
【００３１】
さらに、この実施例では、前記表示制御手段１２を、前記赤、緑、青の３色の単位色画像データを、連続する２つのフレームＦの一方に、赤色画像データ、緑色画像データ、青色画像データの順序で選択して前記液晶表示素子１の複数の画素に順次書込み、他方のフレームＦに、緑色画像データ、赤色画像データ、青色画像データの順序で選択して前記液晶表示素子１の複数の画素に順次書込み、その単位色画像データに対応する色の照明光を前記単位色画像データ書込みに同期させて前記面光源６から出射させるように構成し、前記液晶表示素子１に、赤、緑、青の３色の単位色画像を、前記連続する２つのフレームＦの一方に緑色画像、赤色画像、青色画像の順序で表示させ、他方のフレームＦに緑色画像、赤色画像、青色画像の順序で表示させるようにしている。
【００３２】
すなわち、この実施例では、連続する２つのフレームＦのうち、一方のフレームＦの第１フィールドｆ１に、赤の単位色画像データの書込み（Ｒ書込み）と赤色照明光の出射（Ｒ点灯）を行ない、第２フィールドｆ２に、緑の単位色画像データの書込み（Ｇ書込み）と緑色照明光の出射（Ｇ点灯）を行ない、第３フィールドｆ３に、青の単位色画像データの書込み（Ｂ書込み）と青色照明光の出射（Ｂ点灯）を行ない、他方のフレームＦの第１フィールドｆ１に、緑の単位色画像データの書込み（Ｇ書込み）と緑色照明光の出射（Ｇ点灯）を行ない、第２フィールドｆ２に、赤の単位色画像データの書込み（Ｒ書込み）と赤色照明光の出射（Ｒ点灯）を行ない、第３フィールドｆ３に、青の単位色画像データの書込み（Ｂ書込み）と青色照明光の出射（Ｂ点灯）を行なうことにより、前記液晶表示素子１に赤、緑、青の３色の単位色画像を、連続する２つのフレームＦの一方に赤色画像、緑色画像、青色画像の順で表示させ、他方のフレームＦに緑色画像、赤色画像、青色画像の順で表示させ、これらの単位色画像の各色の視覚的な混合によりフルカラー画像を表示するようにしている。
【００３３】
このフィールドシーケンシャル液晶表示装置は、赤、緑、青の３色の単位色画像を、１フレームＦ毎に異なる順序で表示するため、前記液晶表示素子１に赤、緑、青のうちの２色の単位色画像を複数のフレームＦにわたって表示させたときの前記２色の光の平均透過率が実質的に等しくなる。
【００３４】
図３は、赤、緑、青の３色の単位色画像を１フレームＦ毎に赤色画像、緑色画像、青色画像の順序で表示する比較例における連続する２つのフレームＦで緑と青の２色の単位色画像を表示したときの液晶表示素子１の透過率の変化を示す図、図４〜図６は、上記実施例における連続する２つのフレームＦで２色の単位色画像を表示したときの液晶表示素子１の透過率の変化を示す図であり、図４は緑と青の２色の単位色画像を表示したときの透過率変化、図５は赤と緑の２色の単位色画像を表示したときの透過率変化、図６は赤と青の２色の単位色画像を表示したときの透過率変化を示している。なお、図３〜図６に示した透過率は、液晶表示素子１の各画素の電極間に最も明るい階調の画像データを印加したときの値である。
【００３５】
まず、前記比較例における液晶表示素子１の透過率の変化を説明すると、この比較例では、赤、緑、青のうちの緑と青の２色の単位色画像を表示するとき、つまり、第１フィールドｆ１での赤の単位色画像データの書込みを行なわず、第２フィールドｆ２と第３フィールドｆ３に緑と青の単位色画像データの書込みを行なうときは、液晶表示素子１の液晶分子が、第２フィールドｆ２に、基板２，３面に対して倒伏した非書込み状態から緑の単位色画像データの書込みに応答して立ち上がり配向し、次の第３フィールドｆ３に、前記第２フィールドｆ２の配向状態（緑の単位色画像データの書込みによる立ち上がり配向状態）から青の単位色画像データの書込みに応答して立ち上がり配向する。
【００３６】
また、図２に示した応答待ち時間ｔは極く短いため、１フレームＦ中の非書込みフィールドである第１フィールドｆ１の次の第２フィールドｆ２には、液晶分子が前記緑の単位色画像データの書込みに応答して充分に立ち上がり配向する前、つまり液晶表示素子１の透過率が充分に高くなる前に面光源６から緑の照明光が出射し、次の第３フィールドｆ３には、液晶分子が前記青の単位色画像データの書込みに応答して充分に立ち上がり配向した後、つまり液晶表示素子１の透過率が充分に高くなった後に前記面光源６から青の照明光が出射する。
【００３７】
そのため、非書込みフィールド（第１フィールド）ｆ１の次の第２フィールドｆ２に面光源６から出射する緑色光よりも、その次の第３フィールドｆ３に前記面光源６から出射する青色光が、高い透過率で液晶表示素子１を透過する。
【００３８】
そして、この比較例では、常に緑色光よりも青色光が高い透過率で液晶表示素子１を透過するため、前記緑と青の２色の混合色の色相が青色側にシフトし、緑と青の２色の混合色であるシアンが青味の強い色相になる。
【００３９】
これは、連続する２つのフレームＦにわたって赤と青の２色の単位色画像、または赤と緑の２色の単位色画像を表示させたときも同様であり、赤と青の２色の単位色画像を表示させたときは、前のフレームＦの第３フィールドｆ３の青色光よりも次のフレームＦの第１フィールドｆ１の赤色光が高い透過率で液晶表示素子１を透過し、前記赤と青の２色の混合色であるマゼンタが赤味の強い色相になり、また、赤と緑の２色の単位色画像を表示させたときは、１フレームＦの第１フィールドｆ１の青色光よりも第２フィールドｆ２の緑色光が高い透過率で液晶表示素子１を透過し、前記赤と緑の２色の混合色である黄色が緑味の強い色相になる。
【００４０】
このように、前記比較例では、液晶表示素子１に赤、緑、青のうちの２色の単位色画像を複数のフレームＦにわたって表示させたときに、常に一方の色の光よりも他方の色の光が高い透過率で液晶表示素子１を透過するため、前記２色の混合色の色相が一方の色側にシフトし、色再現性の良いカラー画像を表示することができない。
【００４１】
それに対し、上記実施例のフィールドシーケンシャル液晶表示装置は、赤、緑、青の３色の単位色画像を、連続する２つのフレームＦの一方に緑色画像、赤色画像、青色画像の順で表示し、他方のフレームＦに緑色画像、赤色画像、青色画像の順で表示するため、前記比較例のような２色の混合色の色相のシフトは生じない。
【００４２】
すなわち、図４のように、上記実施例では、連続する２つのフレームＦでそれぞれ緑と青の２色の単位色画像を表示したときは、前のフレームＦの第２フィールドｆ２の緑色光と、次のフレームＦの第３フィールドｆ３の青色光とが実質的に同じ透過率で液晶表示素子１を透過し、前記前のフレームＦの第３フィールドｆ３の青色光と、次のフレームＦの第１フィールドｆ１の緑色光とが実質的に同じ透過率で液晶表示素子１を透過するため、前記２つのフレームＦにおける緑と青の２色の光の平均透過率が実質的に等しくなり、前記緑と青の２色の混合色が、良好な色相のシアンになる。
【００４３】
また、図５のように、上記実施例では、連続する２つのフレームＦでそれぞれ赤と青の２色の単位色画像を表示したときは、前のフレームＦの第１フィールドｆ１の赤色光と、次のフレームＦの第３フィールドｆ３の青色光とが実質的に同じ透過率で液晶表示素子１を透過し、前記前のフレームＦの第３フィールドｆ３の青色光と、次のフレームＦの第２フィールドｆ２の赤色光とが実質的に同じ透過率で液晶表示素子１を透過するため、前記２つのフレームＦにおける赤と青の２色の光の平均透過率が実質的に等しくなり、前記赤と青の２色の混合色が、良好な色相のマゼンタになる。
【００４４】
さらに、図６のように、上記実施例では、連続する２つのフレームＦでそれぞれ赤と緑の２色の単位色画像を表示したときは、前のフレームＦの第１フィールドｆ１の赤色光と、次のフレームＦの第１フィールドｆ１の緑色光とが実質的に同じ透過率で液晶表示素子１を透過し、前記前のフレームＦの第２フィールドｆ２の緑色光と、次のフレームＦの第２フィールドｆ２の赤色光とが実質的に同じ透過率で液晶表示素子１を透過し、前記２つのフレームＦにおける赤と緑の２色の光の平均透過率が実質的に等しくなるため、前記赤と緑の２色の混合色が、良好な色相の黄色になる。
【００４５】
このように、上記実施例のフィールドシーケンシャル液晶表示装置は、赤、緑、青の３色の単位色画像を、１フレームＦ毎に異なる順序で表示するため、液晶表示素子１に赤、緑、青のうちの２色（緑と青、赤と青、赤と緑）の単位色画像を複数のフレームＦにわたって表示させたときの前記２色の光の平均透過率が実質的に等しくなる。
【００４６】
したがって、このフィールドシーケンシャル液晶表示装置によれば、赤、緑、青のうちの２色の混合色の色相を良好にし、色再現性の良いカラー画像を表示することができる。
【００４７】
また、上記実施例では、液晶表示素子１に、赤、緑、青の３色の単位色画像を、連続する２つのフレームＦの一方と他方とで交互に異なる順序で表示させるようにしているため、前記液晶表示素子１に赤、緑、青の３色の単位色画像データを書込み、その単位色画像データに対応する色の照明光を面光源６から出射させる表示制御手段１２は、前記赤、緑、青の３色の単位色画像データを１フレームＦ毎に異なる順序で前記液晶表示素子１の複数の画素に書込み、その単位色画像データに対応する色の照明光を前記単位色画像データ書込みに同期させて前記面光源６から出射させる機能を有していればよく、したがって、前記表示制御手段１２の設計を容易にすることができる。
【００４８】
なお、上記実施例では、液晶表示素子１に、赤、緑、青の３色の単位色画像を、連続する２つのフレームの一方に赤色画像、緑色画像、青色画像の順序で表示させ、他方のフレームに緑色画像、赤色画像、青色画像の順序で表示させるようにしているが、前記２つのフレームの一方と他方の単位色画像の表示順は、他の順序でもよい。
【００４９】
前記赤、緑、青の３色の単位色画像の表示順には、上記実施例の２つのフレームＦの表示順である赤→緑→青と緑→赤→青を含めて、赤→青→緑、緑→青→赤、青→赤→緑、青→緑→赤の計６通りの順序があり、そのうちの１つを連続する２つのフレームＦの一方の表示順とし、他の１つを他方のフレームＦの表示順とすることにより、赤、緑、青のうちの２色の混合色の色相を良好にし、色再現性の良いカラー画像を表示することができる。
【００５０】
（実施形態２）
図７〜図１０はこの発明の第２の実施例を示しており、図７は液晶表示素子への赤、緑、青の単位色画像データの書込み順と面光源からの赤、緑、青の照明光の出射順を示す図である。
【００５１】
この実施例のフィールドシーケンシャル液晶表示装置は、図１に示した液晶表示素子１と面光源６と表示制御手段１２とを備え、前記表示制御手段１２を、前記液晶表示素子１に、赤、緑、青の３色の単位色画像を、連続する２つのフレームＦの一方と他方とで交互に異なる順序で、且つ、各フレームＦの最初のフィールド（第１フィールド）ｆ１に最も視感度の高い緑色画像を表示させるように構成したものである。
【００５２】
すなわち、この実施例では、図７に示したように、連続する２つのフレームＦのうち、一方のフレームＦの第１フィールドｆ１に、緑の単位色画像データの書込み（Ｇ書込み）と緑色照明光の出射（Ｇ点灯）を行ない、第２フィールドｆ２に、赤の単位色画像データの書込み（Ｒ書込み）と赤色照明光の出射（Ｒ点灯）を行ない、第３フィールドｆ３に、青の単位色画像データの書込み（Ｂ書込み）と青色照明光の出射（Ｂ点灯）を行ない、他方のフレームＦの第１フィールドｆ１に、緑の単位色画像データの書込み（Ｇ書込み）と緑色照明光の出射（Ｇ点灯）を行ない、第２フィールドｆ２に、青の単位色画像データの書込み（Ｂ書込み）と青色照明光の出射（Ｂ点灯）を行ない、第３フィールドｆ３に、赤の単位色画像データの書込み（Ｒ書込み）と赤色照明光の出射（Ｒ点灯）を行なうことにより、前記液晶表示素子１に緑、赤、青の３色の単位色画像を、連続する２つのフレームＦの一方に緑色画像、赤色画像、青色画像の順で表示させ、他方のフレームＦに緑色画像、青色画像、赤色画像の順で表示させ、これらの単位色画像の各色の視覚的な混合によりフルカラー画像を表示するようにしている。
【００５３】
図８〜図１０はこの実施例における連続する２つのフレームＦでそれぞれ２色の単位色画像を表示したときの液晶表示素子１の透過率の変化を示す図であり、図４は緑と青の２色の単位色画像を表示したときの透過率変化、図５は赤と緑の２色の単位色画像を表示したときの透過率変化、図６は赤と青の２色の単位色画像を表示したときの透過率変化を示している。なお、図８〜図１０に示した透過率は、液晶表示素子１の各画素の電極間に最も明るい階調の画像データを印加したときの値である。
【００５４】
図８のように、この実施例では、連続する２つのフレームＦでそれぞれ緑と青の２色の単位色画像を表示したときは、前のフレームＦの第１フィールドｆ１の緑色光と、同じフレームＦの第３フィールドｆ３の青色光とが実質的に同じ透過率で液晶表示素子１を透過し、次のフレームＦの第１フィールドｆ１の緑色光と、同じフレームＦの第２フィールドｆ２の青色光とが実質的に同じ透過率で液晶表示素子１を透過するため、前記２つのフレームＦにおける緑と青の２色の光の平均透過率が実質的に等しくなり、前記緑と青の２色の混合色が、良好な色相のシアンになる。
【００５５】
また、図９のように、この実施例では、連続する２つのフレームＦでそれぞれ赤と青の２色の単位色画像を表示したときは、前のフレームＦの第２フィールドｆ２の赤色光と、次のフレームＦの第２フィールドｆ２の青色光とが実質的に同じ透過率で液晶表示素子１を透過し、前記前のフレームＦの第３フィールドｆ３の青色光と、次のフレームＦの第３フィールドｆ３の赤色光とが実質的に同じ透過率で液晶表示素子１を透過するため、前記２つのフレームＦにおける赤と青の２色の光の平均透過率が実質的に等しくなり、前記赤と青の２色の混合色が、良好な色相のマゼンタになる。
【００５６】
さらに、図６のように、上記実施例では、連続する２つのフレームＦでそれぞれ赤と緑の２色の単位色画像を表示したときは、前のフレームＦの第１フィールドｆ１の緑色光と、同じフレームＦの第２フィールドｆ２の赤色光とが実質的に同じ透過率で液晶表示素子１を透過し、次のフレームＦの第１フィールドｆ１の緑色光と、同じフレームＦの第３フィールドｆ３の赤色光とが実質的に同じ透過率で液晶表示素子１を透過するため、前記２つのフレームＦにおける赤と緑の２色の光の平均透過率が実質的に等しくなり、前記赤と緑の２色の混合色が、良好な色相の黄色になる。
【００５７】
したがって、この実施例のフィールドシーケンシャル液晶表示装置においても、赤、緑、青のうちの２色の混合色の色相を良好にし、色再現性の良いカラー画像を表示することができる。
【００５８】
しかも、この実施例では、各フレームＦの最初のフィールド（第１フィールド）ｆ１に最も視感度の高い緑色画像を表示するため、各フレームＦにおける視覚上の輝度変化の立ち上がりを速くし、暗表示から明表示への切換わり及び表示色の切換わりがシャープな鮮明なカラー画像を表示することができる。
【００５９】
すなわち、液晶表示素子１の表示を黒表示から白表示（赤、緑、青の３色表示）に切換えたときの視覚上の輝度の立ち上がりは、白表示に切換えたフレームＦの最初の表示色の視感度により決まり、最初の表示色の視感度が高いほど、視覚上の輝度の立ち上がりが速くなる。
【００６０】
この実施例では、各フレームＦの最初に最も視感度の高い緑色画像を表示するようにしているため、黒表示から白表示に切換えたときの視覚上の輝度の立ち上がりが速く、したがって、暗表示から明表示への切換わり及び表示色の切換わりがシャープな鮮明なカラー画像を表示することができる。
【００６１】
なお、上記第１及び第２の実施例では、赤、緑、青の３色の単位色画像を、連続する２つのフレームの一方と他方とで交互に異なる順序で表示しているが、赤、緑、青の３色の単位色画像の表示順には上述した６通りの順序があるため、連続する３〜６フレームＦを単位とし、その単位内において、赤、緑、青の３色の単位色画像を１フレーム毎に異なる順序で表示してもよい。
【図面の簡単な説明】
【００６２】
【図１】フィールドシーケンシャル液晶表示装置の分解斜視図。
【図２】第１の実施例における液晶表示素子への赤、緑、青の単位色画像データの書込み順と面光源からの赤、緑、青の照明光の出射順を示す図。
【図３】赤、緑、青の３色の単位色画像を１フレーム毎に赤色画像、緑色画像、青色画像の順序で表示する比較例における連続する２つのフレームで緑と青の２色の単位色画像を表示したときの液晶表示素子の透過率の変化を示す図。
【図４】第１の実施例における連続する２つのフレームで緑と青の２色の単位色画像を表示したときの液晶表示素子の透過率の変化を示す図。
【図５】第１の実施例における連続する２つのフレームで赤と青の２色の単位色画像を表示したときの液晶表示素子の透過率の変化を示す図。
【図６】第１の実施例における連続する２つのフレームで赤と緑の２色の単位色画像を表示したときの液晶表示素子の透過率の変化を示す図。
【図７】第２の実施例における液晶表示素子への赤、緑、青の単位色画像データの書込み順と面光源からの赤、緑、青の照明光の出射順を示す図。
【図８】第２の実施例における連続する２つのフレームで緑と青の２色の単位色画像を表示したときの液晶表示素子の透過率の変化を示す図。
【図９】第２の実施例における連続する２つのフレームで赤と青の２色の単位色画像を表示したときの液晶表示素子の透過率の変化を示す図。
【図１０】第２の実施例における連続する２つのフレームで赤と緑の２色の単位色画像を表示したときの液晶表示素子の透過率の変化を示す図。
【符号の説明】
【００６３】
１…液晶表示素子、６…面光源、１２…表示制御手段。
【図１】
2005077473.tif 000003
【図２】
2005077473.tif 000004
【図３】
2005077473.tif 000005
【図４】
2005077473.tif 000006
【図５】
2005077473.tif 000007
【図６】
2005077473.tif 000008
【図７】
2005077473.tif 000009
【図８】
2005077473.tif 000010
【図９】
2005077473.tif 000011
【図１０】
2005077473.tif 000012